(57)【要約】【課題】導光設備が結合される浴室ユニットであって、天井におけるカビの発生を防ぐことができる浴室ユニットを提供する。【解決手段】屋外から光を導入する光ダクトが結合される浴室ユニット１において、光ダクトにより導入された光を浴室ユニット１内に放光する放光口６は、浴室ユニット１の側壁４に設けられている。また、放光口６には、ブラケット７が取り付けられており、このブラケット７の上部８の透光率は、下部９の透光率よりも高い。これにより、光ダクトにより導入され、放光口６から出射した光の少なくとも一部は、浴室ユニット１の天井５に向けて照射される。【選択図】図２
2008082080.tif 000002
【特許請求の範囲】
【請求項１】
屋外から光を導入する導光設備が結合される浴室ユニットであって、
前記浴室ユニットの側壁に設けられ、前記導光設備により導入された光を前記浴室ユニット内に放光する放光口を備え、
前記放光口から出射した光の少なくとも一部は、前記浴室ユニットの天井に向けて照射されることを特徴とする浴室ユニット。
【請求項２】
前記放光口に取り付けられたブラケットをさらに備え、
前記ブラケットの上部の透光率は、前記ブラケットの下部の透光率よりも高いことを特徴とする請求項１記載の浴室ユニット。
【請求項３】
前記ブラケットの前記下部の内面は、光反射面とされていることを特徴とする請求項２記載の浴室ユニット。
【請求項４】
前記放光口に回転自在に取り付けられたブラケットをさらに備え、
前記ブラケットの一方の側の透光率は、前記ブラケットの他方の側の透光率よりも高いことを特徴とする請求項１記載の浴室ユニット。
【請求項５】
前記ブラケットの前記他方の側の内面は、光反射面とされていることを特徴とする請求項４記載の浴室ユニット。
【請求項６】
前記天井には、光触媒がコーティングされていることを特徴とする請求項１〜５のいずれか１つに記載の浴室ユニット。
【発明の詳細な説明】
【技術分野】
【０００１】
本発明は、浴室ユニットに関し、特に、屋外から光を導入する導光設備が結合される浴室ユニットに関する。
【背景技術】
【０００２】
近年、住宅等の建築物に光ダクトを設ける技術が開発されている。光ダクトとは、建築物の屋外から屋内まで連通し、その内面が光反射面となった筒状の部材であり、屋外の自然光を屋内に導入するものである。建築物にこのような光ダクトを設けることにより、日中の豊富な自然光を室内の照明に利用することができるため、照明コストを節約し、省エネルギー効果及び環境負荷軽減効果を得ることができる。また、室内に自然光を導入することにより、室内の居住性を向上させることができる。
【０００３】
特許文献１には、浴室ユニットに連通された排気ダクトの内部に光ダクトを設けることにより、浴室ユニットに光ダクトを結合する技術が開示されている。この技術においては、排気ダクトの内部に光ダクトを収納しているため、光ダクトにより導入された外光を浴室ユニット内に放光する放光口は、浴室ユニット内の空気を排気ダクトに導入する排気口の内部に設けられるか、又は排気口に隣接して設けられる。通常、排気口は浴室ユニットの天井における浴槽側の領域に設けられているため、光ダクトの放光口も、天井における浴槽側の領域に設けられることになる。
【０００４】
一方、浴室ユニット内は湿度が高く、カビが発生しやすいという問題がある。特に、浴室ユニットの天井は、手が届かず清掃が困難であるため、カビが発生しやすく、また、発生したカビを除去することが困難である。
【０００５】
【特許文献１】実開昭６０−０３３２４０号公報
【発明の開示】
【発明が解決しようとする課題】
【０００６】
本発明の目的は、導光設備が結合される浴室ユニットであって、天井におけるカビの発生を防ぐことができる浴室ユニットを提供することである。
【課題を解決するための手段】
【０００７】
本発明の一態様によれば、屋外から光を導入する導光設備が結合される浴室ユニットであって、前記浴室ユニットの側壁に設けられ、前記導光設備により導入された光を前記浴室ユニット内に放光する放光口を備え、前記放光口から出射した光の少なくとも一部は、前記浴室ユニットの天井に向けて照射されることを特徴とする浴室ユニットが提供される。
【発明の効果】
【０００８】
本発明によれば、導光設備が結合され、天井におけるカビの発生を防ぐことができる浴室ユニットを実現することができる。
【発明を実施するための最良の形態】
【０００９】
以下、図面を参照しつつ本発明の実施形態について説明する。  
先ず、本発明の第１の実施形態について説明する。
図１は、本実施形態に係る浴室ユニットが設けられた建築物を例示する模式的断面図であり、  
図２は、この浴室ユニットを例示する模式的断面図であり、  
図３は、この浴室ユニットを例示する斜視図であり、  
図４は、この浴室ユニットにおけるブラケットを例示する斜視図である。
【００１０】
図１に示すように、本実施形態に係る浴室ユニット１は、建築物、例えば住宅１０１に設置されている。住宅１０１においては、導光設備としての光ダクト１０２が配設されている。光ダクト１０２の一方の端部は、例えば住宅１０１の屋根に設けられた採光部１０３に結合されており、他方の端部は、浴室ユニット１に結合されている。採光部１０３は、透明板からなるドームによって覆われており、砂や埃は通過させないが光は透過させる。光ダクト１０２の内部は中空であり、その内面は光反射面となっており、例えば、鏡面又は白色面となっている。これにより、光ダクト１０２は、住宅１０１の外部から採光部１０３を介して導入された外光Ｌを、その内面において反射しつつ導光して、浴室ユニット１の内部に導入する。
【００１１】
図２に示すように、光ダクト１０２における浴室ユニット１側の先端部は、略垂直方向に延びる縦型ダクト１０４となっている。縦型ダクト１０４の下部は、浴室ユニット１の側方に配置されており、縦型ダクト１０４の下端部は、略直角に屈曲して水平方向に延び、浴室ユニット１の側面に連結されている。また、縦型ダクト１０４の内部における屈曲部には、補助ミラー１０５が設けられている。補助ミラー１０５は、例えば、採光部１０３（図１参照）側から補助ミラー１０５に到達した光を、浴室ユニット１側に向けて反射するような角度に設置されている。更に、縦型ダクト１０４における浴室ユニット１との連結部分の外周には、パッキン１０６が設けられており、この連結部分の水密性を担保している。
【００１２】
図３に示すように、浴室ユニット１においては、床の一方の側に浴槽２が設けられており、他方の側が洗い場３となっている。浴室ユニット１の側壁４には、光ダクト１０２により導入された外光Ｌを浴室ユニット１内に放光する放光口６が設けられている。放光口６は、浴室ユニット１の側壁４における縦型ダクト１０４が連結されている部分である。放光口６は、例えば、側壁４のうち、浴槽２の足側に位置する面の天井５近くの位置に設けられており、例えば、浴槽２側の領域に設けられている。また、放光口６にはブラケット７が取り付けられている。
【００１３】
なお、例えば、側壁４のうち、放光口６が設けられている面における洗い場３側の領域には、入浴者のほぼ全身が映せるような大型の鏡１１が取り付けられている。また、鏡１１の向かって右側の側方には多段の収納棚１２が造り付けられており、鏡１１の向かって左側の側方にはシャワー１３が取り付けられており、鏡１１の下方にはカウンター１４が設けられている。また、浴室ユニット１の天井５には、点検口（図示せず）及び排気口（図示せず）が設けられている。
【００１４】
図４に示すように、例えば、ブラケット７の形状は円柱形であり、その中心軸は水平方向に延びている。ブラケット７は、ブラケット７の側面をなす円筒部材と、ブラケット７の前面をなす円板部材とによって構成されている。そして、ブラケット７は、円筒部材の上部及び円板部材の上部からなる上部８と、円筒部材の下部及び円板部材の下部からなる下部９と、に分かれている。
【００１５】
ブラケット７の上部８の透光率は、ブラケット７の下部９の透光率よりも高い。例えば、上部８は光を透過させる透明な樹脂により形成されており、下部９は内面が光反射面、例えば鏡面又は白色面とされた遮光材により形成されている。光反射面としては、例えば、アルミニウムやステンレスなどの金属面や、これら金属面の表面に酸化アルミニウムや樹脂などの被覆層が積層されたものを用いることができる。又は、上部８が透明な樹脂により形成されており、下部９は光を拡散させながら透過させる乳白色の樹脂により形成されていてもよい。この場合、下部９に入射した光のうち、一部は下部９により反射されて上方に向かい、残部は下部９を透過して下方に向かう。又は、上部８及び下部９の双方が乳白色の樹脂により形成されており、上部８の厚さは、下部９の厚さよりも薄くなっていてもよい。いずれの場合も、上部８の透光率は、下部９の透光率よりも高くなっている。
【００１６】
次に、本実施形態に係る浴室ユニットの動作について説明する。  
図１及び図２に示すように、住宅１０１の外部から外光Ｌ、例えば太陽光が、採光部１０３を介して光ダクト１０２の内部に導入される。この外光Ｌは、光ダクト１０２の内面によって繰り返し反射されながら光ダクト１０２内を伝達し、光ダクト１０２の縦型ダクト１０４内において補助ミラー１０５によって反射され、浴室ユニット１の放光口６から、ブラケット７を介して、浴室ユニット１の内部に導入される。
【００１７】
このとき、図４に示すように、ブラケット７においては、上部８の透光率が下部９の透光率よりも高いため、ブラケット７に入射した光は、下方よりも上方に向けてより多く出射する。また、放光口６からブラケット７の下部９に入射した光の一部は、上方に向けて反射され、上部８を透過して出射する。これによっても、ブラケット７から上方に向けて出射される光は、下方に向けて出射される光よりも多くなる。
【００１８】
そして、図３に示すように、ブラケット７から上方に出射した光は、浴室ユニット１の天井５に向けて照射される。この結果、光に含まれる赤外線成分により、天井５が加熱され、乾燥する。これにより、天井５におけるカビの発生を防止することができる。また、光に含まれる紫外線成分によっても、カビの発生を防止することができる。
【００１９】
次に、本実施形態の効果について説明する。  
上述の如く、本実施形態においては、放光口６から出射した太陽光などの外光の少なくとも一部は、天井５に向けて照射される。これにより、天井５を加熱して乾燥させ、カビの発生を防止することができる。この結果、手が届きにくく、清掃が困難な天井に対して、清掃作業及びカビの除去作業などを行う必要性を低減させることができる。  
これに対して、特許文献１に記載の技術においては、光ダクトの放光口は天井に設けられており、下方に向いているため、光ダクトにより浴室内に導入された光は天井には照射されない。このため、天井におけるカビの発生を効果的に防止することはできない。
【００２０】
次に、本発明の第２の実施形態について説明する。  
図５は、この浴室ユニットにおけるブラケットを例示する斜視図である。  
図５に示すように、本実施形態においては、浴室ユニットの側壁４における放光口６の周囲に、リング状のレール２６が設けられており、ブラケット２７はレール２６を介して、側壁４に対して回転自在に取り付けられている。また、ブラケット２７の形状は円柱形であり、その中心軸に平行な平面によって２つの部分２８及び２９に分けられている。そして、一方の部分２８の透光率は、他方の部分２９の透光率よりも高くなっている。例えば、部分２８は透明な樹脂により形成されており、部分２９は内面が光反射面とされた遮光材料により形成されている。
【００２１】
本実施形態においては、浴室の不使用時には、透光率が高い部分２８を上側とし、透光率が低い部分２９を下側とする。これにより、前述の第１の実施形態と同様に、放光口から出射した光は下方よりも上方に向けて多く出射し、天井に照射される。これにより、天井を加熱及び乾燥させ、カビの発生を防止することができる。一方、入浴時には、ブラケット２７を側壁４に対して回転させることより、透光率が高い部分２８を下側とし、透光率が低い部分２９を上側とする。これにより、ブラケット２７から主として下方に向けて放光させ、浴室ユニット内を効率的に照明すると共に、入浴者に外光を浴びせることができる。本実施形態における上記以外の構成、動作及び効果は、前述の第１の実施形態と同様である。
【００２２】
以上、実施形態を参照しつつ、本発明の特徴を説明した。しかし、本発明は、これらの実施形態に限定されるものではなく、前述の各実施形態に係る浴室ユニットを構成するいずれかの要素について、当業者が適宜追加、省略又は設計変更を加えたものであっても、本発明の要旨を備えたものであれば、本発明の範囲に包含される。
【００２３】
例えば、ブラケットの形状は円柱形に限定されず、任意の形状とすることができる。また、側壁における放光口を設ける位置は浴槽の足側の面に限定されず、側壁の任意の位置に設けることができる。
【００２４】
また、前述の第１及び第２の実施形態において、浴室ユニットの天井の下面に、光触媒がコーティングされていてもよい。この結果、光触媒に光が照射されることにより、この光触媒が環境浄化機能を発揮し、かびの発生をより効果的に防止することができる。例えば、光触媒として酸化チタンを使用すると、光が照射されることにより酸化力が生じ、カビの胞子などの有機物を水や二酸化炭素に分解することができる。なお、自然光には可視光成分が多く含まれるため、光触媒として、可視光応答型光触媒を使用することがより好ましい。
【００２５】
更に、前述の第１及び第２の実施形態において、ブラケットの材料を赤外線を透過させやすい材料とすることにより、より効果的に天井を加熱し、乾燥させることができる。また、ブラケットの材料を紫外線を透過させやすい材料とすることにより、紫外線による殺菌効果が得られると共に、上述の光触媒をより効率的に機能させることができる。
【００２６】
更にまた、前述の第１及び第２の実施形態においては、放光口に光指向性を有するブラケットを取り付け、ブラケットの作用によって光の大部分を天井に向けて照射する例を示したが、本発明はこれに限定されない。例えば、放光口にはブラケットを取り付けず、縦型ダクトの形状又はその内部に設置された補助ミラーの角度を適当に設定することにより、放光口から直接天井に向けて光が照射されるようにしてもよい。
【００２７】
更にまた、前述の各実施形態においては、屋外から浴室ユニット内に外光を導入する導光設備が光ダクトである例を示したが、本発明はこれに限定されず、導光設備は例えば光ファイバであってもよい。
【図面の簡単な説明】
【００２８】
【図１】本発明の第１の実施形態に係る浴室ユニットが設けられた建築物を例示する模式的断面図である。
【図２】第１の実施形態に係る浴室ユニットを例示する模式的断面図である。
【図３】第１の実施形態に係る浴室ユニットを例示する斜視図である。
【図４】第１の実施形態に係る浴室ユニットにおけるブラケットを例示する斜視図である。
【図５】第２の実施形態に係る浴室ユニットにおけるブラケットを例示する斜視図である。
【符号の説明】
【００２９】
１  浴室ユニット、２  浴槽、３  洗い場、４  側壁、５  天井、６  放光口、７  ブラケット、８  上部、９  下部、１１  鏡、１２  収納棚、１３  シャワー、１４  カウンター、２６  レール、２７  ブラケット、２８、２９  部分、１０１  住宅、１０２  光ダクト、１０３  採光部、１０４  縦型ダクト、１０５  補助ミラー、１０６  パッキン、Ｌ  外光
【図１】
2008082080.tif 000003
【図２】
2008082080.tif 000004
【図３】
2008082080.tif 000005
【図４】
2008082080.tif 000006
【図５】
2008082080.tif 000007